(57)【要約】      （修正有）【課題】洗濯機の透視性材料の折れ蓋構成における蓋の強度を高める。【解決手段】洗濯機本体上面を被覆した上面カバーの略中央に配置した上方に開閉可能な蓋体について、蓋体は軸支構造で折り畳み可能に構成した透明部材の前蓋４０および透明部材の後蓋４２と、前蓋４０の裏面に配置した前蓋当て板４１と前記後蓋４２の裏面に配置した後蓋当て板４４とを備え、前蓋当て板４１は不透明部材で構成し、後蓋当て板４４は不透明部材で構成するとともに中央部に開口４３を構成し、その開口周縁には連続した平面形状の板状リブを形成して後蓋外周部に装着したことにより、後部蓋体の捩り方向の剛性が高められるので、蓋開閉操作において強い力や乱暴な操作に対応が可能となるものである。【選択図】図５
2011200275.tif 000002
【特許請求の範囲】
【請求項１】
軸支構造により折り畳み可能に構成した透明部を有する前蓋および透明部を有する後蓋と、前記前蓋に構成した蓋開閉用の把手部と、前記前蓋の裏面に配置した前蓋当て板および前記後蓋の裏面に配置した後蓋当て板とを備え、前記前蓋当て板および前記後蓋当て板は、不透明部材で構成するとともに前記軸支構造近傍を除く前記前蓋または前記後蓋の外周近傍に装着され、前記後蓋当て板は、中央部に開口を構成し、その開口周縁に連続した平面状の板状リブを形成して前記後蓋裏面に装着した洗濯機の蓋装置。
【請求項２】
前蓋当て板または後蓋当て板の表面周縁部には複数の第１の凸状リブを形成し、前蓋または後蓋の裏面周縁部には前記第１の凸状リブとは逆方向の複数の第２の凸状リブを形成して、前記第１の凸状リブと前記第２の凸状リブとを当接させた請求項１記載の洗濯機の蓋装置。
【請求項３】
洗濯機本体と、前記洗濯機本体の前方に操作表示パネルを配した上面カバーと、前記上面カバーの略中央位置に設けられ上方向に開閉可能な蓋装置とを備えた請求項１または２に記載の洗濯機。
【発明の詳細な説明】
【技術分野】
【０００１】
本発明は、洗濯機本体の上面にて、前後蓋体を軸支して折れ蓋構成として開閉動作をおこなう洗濯機の蓋装置に関するものである。
【背景技術】
【０００２】
従来、この種の洗濯機の蓋装置では、複数の蓋体を相互に軸支して折れ蓋構成とし、さらに洗濯中に衣類の動きを使用者に可視化するために透視材料で構成し、洗濯機本体の上面に開閉自在に設けていた（例えば、特許文献１参照）。
【０００３】
図６は、特許文献１に記載された従来の洗濯機の蓋体の平面図を示すもので、図７（ａ）は、同洗濯機の後蓋の合わせ面側の側面図、（ｂ）は同洗濯機の後蓋の要部断面図、（ｃ）は同洗濯機の前蓋の合わせ面側の側面図、（ｄ）は同洗濯機の前蓋の要部断面図である。
【０００４】
図６に示すように、開閉蓋８は、一端を軸支部９により上方へ回動自在に軸支して洗濯機本体（図示せず）の上面に設けている。この開閉蓋８は軸線１０に沿って折り畳み可能な２枚の蓋体８ａ、８ｂで構成している。
【０００５】
前記蓋体における一方の蓋体８ａの端部には、図７（ａ）に示すように、軸線１０に沿って片持支持される複数個の支持軸１１ａを略中央部に略等間隔に一体に形成し、他方の蓋体８ｂには、図７（ｃ）に示すように、支持軸１１ａを保持する同数の横穴構成の軸受部１２ａを前記の支持軸１１ａと対応する位置に一体に形成し、図６の軸支部１３を構成し、これら蓋体８ａと蓋体８ｂとを軸支部１３にて連結して開閉蓋を構成する。
【０００６】
蓋体８ａ、８ｂは、透視性の材料で構成し、洗濯機本体の前方側の蓋体８ｂに把手部１４を設け、この把手部１４と対応する位置に蓋体８ａ、８ｂを相互に軸支部１３により軸支している。
【０００７】
上記構成において、２枚の蓋体８ａ、８ｂを相互に略中央部にて支持軸１１ａを軸受部１２ａに貫通させて、軸支部１３により軸支し、折れ蓋構成としているので、蓋体８ａ、８ｂが多少反った場合でも、蓋体８ａ、８ｂの略中央部の反り量は、両端部である支持軸１１ａ、軸受部１２ａの反り量と比較して少ないために、反りの影響が少なく、蓋体８ａ、８ｂを容易に連結できて折れ蓋を構成するものである。
【０００８】
また、洗濯機本体の前方側の蓋体８ｂの略中央部に不透明部材の把手部１４を設け、この把手部１４と対応する位置に蓋体８ａ、８ｂを相互に軸支する軸支部１３を設けているので、蓋体８ａ、８ｂを透視性を有する材料で構成した場合でも、表面から蓋裏面の軸支構造を見え難くすることができ、デザイン性を損なわないように配慮している。
【０００９】
さらに、透明材料の蓋体８ａ、８ｂの外周部にはＵ字形状の不透明部材の飾り板２３、２４を装着して、デザイン的な協調とともに蓋体８ａ、８ｂの外周部の強度を高める構成としている。
【先行技術文献】
【特許文献】
【００１０】
【特許文献１】特開２０００−２７９６８９号公報
【発明の概要】
【発明が解決しようとする課題】
【００１１】
しかしながら、このような従来の蓋構成では、蓋体の強度は透明材料の蓋体８ａ、８ｂの強度に依存しており、またＵ字形状の飾り板２３、２４を構成しても、特に開閉動作時の捩り方向の強度には弱く、蓋体８ａ、８ｂを必要とする肉厚以上に厚みを高めたり、裏面に強度確保のためのリブを設けねばならない等、生産性に課題があった。特に把手部１４を強い力で操作した際、一方を回動させるための支持部９で軸支されている側の蓋体８ａには応力がかかりやすく、特に強度上の課題があった。
【００１２】
本発明は、上記従来の課題を解決するもので、蓋装置の強度を高めることを目的としている。
【課題を解決するための手段】
【００１３】
上記目的を達成するために、本発明の洗濯機の蓋装置は、軸支構造により折り畳み可能に構成した透明部を有する前蓋および透明部を有する後蓋と、前記前蓋に構成した蓋開閉用の把手部と、前記前蓋の裏面に配置した前蓋当て板および前記後蓋の裏面に配置した後蓋当て板とを備え、前記前蓋当て板および前記後蓋当て板は、不透明部材で構成するとともに前記軸支構造近傍を除く前記前蓋または前記後蓋の外周近傍に装着され、前記後蓋当て板は、中央部に開口を構成し、その開口周縁に連続した平面状の板状リブを形成して前記後蓋裏面に装着したものである。
【００１４】
これにより、特に後蓋まわりの構成は捩り方向の剛性が高められるので、蓋開閉操作において強い力による操作にも耐性を有するものである。
【発明の効果】
【００１５】
本発明の洗濯機の蓋装置は、透視性材料の折れ蓋構成における蓋の強度を高めることができる。
【図面の簡単な説明】
【００１６】
【図１】本発明の実施の形態における洗濯機の蓋を備えた洗濯機の斜視図
【図２】同洗濯機の蓋開き時の洗濯機の斜視図
【図３】同洗濯機の蓋の外観斜視図
【図４】同洗濯機の蓋の断面図および要部拡大断面図
【図５】同洗濯機の蓋の分解斜視図
【図６】従来の洗濯機の蓋体の平面図
【図７】（ａ）従来の洗濯機の後蓋の合わせ面側の側面図（ｂ）同洗濯機の後蓋の要部断面図（ｃ）同洗濯機の前蓋の合わせ面側の側面図（ｄ）同洗濯機の前蓋の要部断面図
【発明を実施するための形態】
【００１７】
第１の発明は、軸支構造により折り畳み可能に構成した透明部を有する前蓋および透明部を有する後蓋と、前記前蓋に構成した蓋開閉用の把手部と、前記前蓋の裏面に配置した前蓋当て板および前記後蓋の裏面に配置した後蓋当て板とを備え、前記前蓋当て板および前記後蓋当て板は、不透明部材で構成するとともに前記軸支構造近傍を除く前記前蓋または前記後蓋の外周近傍に装着され、前記後蓋当て板は、中央部に開口を構成し、その開口周縁に連続した平面状の板状リブを形成して前記後蓋裏面に装着したことにより、とくに後部蓋体の捩り方向の剛性が高められるので、蓋開閉操作において強い力による操作にも耐性を有するものである。
【００１８】
第２の発明は、上記第１の発明において、前蓋当て板または後蓋当て板の表面周縁部には複数の第１の凸状リブを形成し、前蓋または後蓋の裏面周縁部には前記第１の凸状リブとは逆方向の複数の第２の凸状リブを形成して、前記第１の凸状リブと前記第２の凸状リブとを当接させたことにより、蓋の強度を高めることができ、また視覚的にも重厚感を有するクロスした網目状態が蓋体表面から視認できる等、デザイン的にも優れた構成を提供できる。
【００１９】
第３の発明は、上記第１または第２の発明において、洗濯機本体と、前記洗濯機本体の前方に操作表示パネルを配した上面カバーと、前記上面カバーの略中央位置に設けられ上方向に開閉可能な蓋装置とを備えた洗濯機とすることにより、蓋装置の強度を高めた洗濯機を提供することができる。
【００２０】
以下、本発明の実施の形態について、図面を参照しながら説明する。なお、従来例と同じ構成のものは同一符号を付して説明を省略する。また、この実施の形態によって本発明が限定されるものではない。
【００２１】
（実施の形態１）
図１は、本発明の実施の形態１における洗濯機の蓋を備えた洗濯機の斜視図を示すものである。
【００２２】
図１の斜視図において、洗濯機本体３１の上面を被覆する上面カバー３２の略中央部には開閉自在に蓋体３３を配置する。前記蓋体３３は、前蓋体３４と後蓋体３５を略中央部３６にて、後述する軸支構造で折り畳み可能に構成し、前蓋体３４の中央部３４ａと、後蓋体３５の中央部３５ａとは透明構造とし、洗濯機本体内部を視認可能にしている。
【００２３】
また、後蓋体３５と対向する位置であって前蓋体３４の前方部に配され、前蓋体３４の洗濯機本体３１の前面上部の操作表示パネル３８に近接した位置に配した把手部３７を上方に操作することで、蓋開き状態とすることができる。
【００２４】
図２の蓋開き時の洗濯機の斜視図において、把手部３７を持ち上げつつ後方に押し込む操作にて、略中央部３６で屈曲させつつ蓋体３３は開き状態となり内部の洗濯槽３９に衣類等の洗濯物の投入や、洗剤の投入が可能になる。また蓋閉じの状態では、透明構造の中央部３４ａ部等から内部の洗濯槽３９の状況たとえば衣類の動き等を視認することが可能な構成である。
【００２５】
なお、蓋体３３を軸支構造で折り畳み可能にしている理由は、蓋体３３を開いた際に衣類の投入や取り出し作業をしやすくするため蓋体３３を大型化した際に、一枚構造では開き時の高さが高くなりすぎて操作性を低下する事を避けるためと、洗濯機設置場所の上方のスペースで他の部材との干渉を避けるためである。
【００２６】
図３の蓋の外観斜視図において、前蓋体３４は、把手部３７を有し透明材質で略半円形状の前蓋４０と、前蓋４０の裏面から装着される不透明部材で外形状が略馬蹄形状の前蓋当て板４１で構成され、後蓋体３５は、透明材質で略台形形状の後蓋４２と、後蓋４２の裏面から装着され、かつ中央に開口４３を有し外形形状が後蓋４２の形状に近似する後蓋当て板４４で構成される。
【００２７】
また、前蓋４０および後蓋４２の外周部は、略網目状態の部分ＢおよびＣが構成され、前蓋体３４および後蓋体３５の剛性を高めている（詳細は図５にて後述する）。
【００２８】
また、後部当て板４４は、略中央部３６に折れ蓋の屈伸を支持する軸支構造（図４にて後述）と、後方に後部蓋体３５を洗濯機本体の上面パネルに開閉自在に軸支する回動支持部５５を構成する。
【００２９】
上記の前蓋４０、前蓋当て板４１および後蓋４２、前蓋４０の後蓋当て板４４等の部材は、複雑な形状に対応可能で、デザインの多様性に適応可能で、生産性の高いプラスチック成型加工品が多用される。
【００３０】
図４の蓋の断面図において、前蓋４０と後蓋４２とを回動自在に軸支した軸支構造５３の折れ蓋を構成する内容を説明する。
【００３１】
前蓋４０には、貫通する穴の軸受部４６を有する軸受リブ４７を後ろ壁５０後方に複数個一体形成し、一方、後蓋４２の裏面下側から装着した後蓋当て板４４には、前記前蓋４０の軸受部４６に対応する位置に、支持軸４５を有する支持軸リブ４９が一体形成される。
【００３２】
前記支持軸４５を前記軸受部４６に装着して、前蓋４０と後蓋４２とを回動自在となり、軸支構造５３が構成される。
【００３３】
前蓋４０の軸受部４６および軸受リブ４７は、前蓋４０の後ろ壁５０後方に突出した位置に延設しているので、後蓋当て板４４の支持軸４５および支持軸リブ４９の配置は、開口４３側に延設した遮蔽リブ５２の略下方に配置構成される。したがって、蓋体３３を閉じた状態において、使用者がよく見る状態である斜め前方上方から透明材を通して槽内を視認した際に、軸受部４６および支持軸４５、支持軸リブ４９等がみえにくくなり、蓋体３３を閉じた状態でのデザイン性が向上する。
【００３４】
図５の蓋の分解斜視図において、透明材質で平面形状が略台形形状の平板上の後蓋４２は、その裏面から不透明材質の後蓋当て板４４を装着され、後蓋当て板４４の中央に設けた開口４３を介して、下方が透視できる。
【００３５】
また、後蓋当て板４４の外形形状は、後蓋４２の外形形状に近似させ、内方には開口４３の周縁に、支持軸４５側の板状の遮蔽リブ５２と回動支持部５５側の板状の後部リブ５４と、前記遮蔽リブ５２と後部リブ５４とをつなぐ左右の板状の接続リブ５６ａおよび５６ｂにて連続した平面形状のリブを形成している。
【００３６】
さらに、後蓋当て板４４の前記接続リブ５６ａおよび５６ｂの上表面即ち後蓋４２側の表面には、外観上渦を巻くように曲線状の凸状リブ５７を多数条設けて一体形成する。
【００３７】
なお、前記の後蓋当て板４４上表面側の凸状リブ５７の螺旋方向を、後蓋４２上方から見て反時計周り方向の捩りの渦巻状Ａとする。
【００３８】
一方、後蓋４２の裏面（後蓋当て板４４側）には、後蓋４２上方から見て前記渦巻状Ａとは逆方向、即ち時計方向の渦巻状Ｂの方向に捩りを有する曲線状の凸状リブ５８を多数条設けて一体的に形成し、後蓋当て板４４側の凸状リブ５７に当接させるように構成している。
【００３９】
従って、後蓋４２に後蓋当て板４４を装着した場合には、透明材の後蓋４２の裏面の渦巻状Ｂの方向の凸状リブ５８と、後蓋当て板４４側に上表面に形成している渦巻状Ａ方向の凸状リブ５７とが重なりあってクロスした網目状態となって透明材質の後蓋４２上面より視認できる（図３で示した網目状態の部分Ｃ）。
【００４０】
一方、把手部３７を前方に形成した透明材質で平面形状が略半円形状の前蓋４０は、裏面から装着される不透明の略馬蹄形状の前蓋当て板４１を除く中央部より、下方が透視できる。
【００４１】
また、前蓋４０および前蓋当て板４１にも同様に渦巻状の凸状リブを形成する。
【００４２】
即ち、前蓋４０の裏面（前蓋当て板４１側）には、後蓋４２と同じ渦巻状Ｂの方向に捩りを有する凸状リブ５９を一体的に形成する。前蓋当て板４１の表面には、馬蹄形状に沿って多数条の渦巻状Ａの凸状リブ６０を一体形成し、前蓋４０側の凸状リブ５９に当接させている。
【００４３】
従って、前蓋４０に前蓋当て板４１を装着した場合には、透明材の前蓋４０よりその裏面の渦巻状Ｂの方向の凸状リブ５９と、前蓋当て板４１側に上表面に形成している渦巻状Ａ方向の凸状リブ６０とが重なりあってクロスした網目状態に視認できる（図３で示した網目状態の部分Ｂ）。
【００４４】
なお、図示していないが、前蓋４０と前蓋当て板４１および後蓋４２と後蓋当て板４４とは、溶着、接着、勘合や嵌め込み等の一般的な加工で装着される。
【００４５】
後蓋当て板４４は、中央に開口４３を有しつつ、開口周縁部を平板上の遮蔽リブ５２と後部リブ５４と左右は接続リブ５６ａおよび５６ｂとで連続した平面形状の板リブでつながった梁（はり）構成で後蓋４２に装着したので、とくに後部蓋体３５の捩り方向の剛性が高められることにより、蓋開閉操作において強い力による操作にも耐性を有することが可能となるものである。
【００４６】
また、前蓋４０と前蓋当て板４１、および後蓋４２と後蓋当て板４４に、外周部において、凸状リブ５９と逆方向の傾斜を有する凸状リブ６０および、凸状リブ５７と逆方向の傾斜を有する凸状リブ５８を形成してそれぞれ当接させて装着すれば、凸状リブ形成にて、蓋の成型加工における板厚を肉厚にしないで強度を持たせることができ生産性に優れ、また視覚的にも重厚感を有するクロスした網目状態が蓋体表面から視認できる等デザイン的にも優れている。
【００４７】
また、凸状リブ５７、５８、５９、６０は、曲線状とせずに直線状としても同様の効果を得ることが可能である。
【産業上の利用可能性】
【００４８】
以上のように、本発明にかかる洗濯機の蓋装置は、透明部材の折れ蓋の剛性を高めることができるので、取り扱いに多様性のある開閉操作を伴う家庭用機器の蓋としても有用である。
【符号の説明】
【００４９】
３１  洗濯機本体
３２  上面カバー
３３  蓋体
３７  把手部
３８  操作表示パネル
４０  前蓋
４１  前蓋当て板
４２  後蓋
４３  開口
４４  後蓋当て板
５２  遮蔽リブ（板状リブ）
５３  軸支構造
５６ａ、５６ｂ  接続リブ（板状リブ）
５７  渦巻状Ａの凸状リブ
５８  渦巻状Ｂの凸状リブ
【図１】
2011200275.tif 000003
【図２】
2011200275.tif 000004
【図３】
2011200275.tif 000005
【図４】
2011200275.tif 000006
【図５】
2011200275.tif 000007
【図６】
2011200275.tif 000008
【図７】
2011200275.tif 000009